(57)【特許請求の範囲】
【請求項１】
イルリガートルスタンドにおける支柱部に、患者が掴むグリップ部を取付基部を介して着脱可能に固定すると共に、保持角度調節機構を介して連結する構成とし、この保持角度調節機構は、前記支柱部に固定した取付基部に対し、前記グリップ部を、支軸を中心として回動可能に支持すると共に、前記取付基部および前記グリップ部内側面に、それぞれ形成方向を前記支軸方向に指向させると共に等間隔毎に多数のリブを突設して、前記グリップ部から取付基部にかけてのリブ間の谷部に沿って移動可能な噛合歯を外周に形成した結合内筒を嵌挿して、この結合内筒を付勢手段により前記取付基部側のリブからグリップ部側のリブにかけて位置させる一方、押圧操作子により前記付勢手段の付勢力に抗して押し込むことで、前記結合内筒を取付基部側に移動させて前記グリップ部を拘束解除して、前記グリップ部を前記支軸廻りに回動可能とする一方、前記押圧操作子から手を離すことで任意の位置にて前記グリップ部を拘束する構成とし、前記グリップ部は、開ループ型形状に構成して、患者の手首を支持可能とすると共に、先端に、膨出形状の握り頭部を設ける構成としたことを特徴とするイルリガートルスタンドにおける掴まり兼用移動操作装置。
【請求項２】
イルリガートルスタンドにおける支柱部に、患者が掴むグリップ部を取付基部を介して着脱可能に固定すると共に、保持角度調節機構を介して連結する構成とし、この保持角度調節機構は、前記支柱部に固定した取付基部に対し、前記グリップ部を、支軸を中心として回動可能に支持すると共に、前記取付基部および前記グリップ部内側面に、それぞれ形成方向を前記支軸方向に指向させると共に等間隔毎に多数のリブを突設して、前記グリップ部から取付基部にかけてのリブ間の谷部に沿って移動可能な噛合歯を外周に形成した結合内筒を嵌挿して、この結合内筒を付勢手段により前記取付基部側のリブからグリップ部側のリブにかけて位置させる一方、押圧操作子により前記付勢手段の付勢力に抗して押し込むことで、前記結合内筒を取付基部側に移動させて前記グリップ部を拘束解除して、前記グリップ部を前記支軸廻りに回動可能とする一方、前記押圧操作子から手を離すことで任意の位置にて前記グリップ部を拘束する構成とし、前記グリップ部は、閉ループ型形状に構成して、患者の手首を支持可能とすると共に、前記グリップ部の所望の部位を握り可能とする構成としたことを特徴とするイルリガートルスタンドにおける掴まり兼用移動操作装置。
【発明の詳細な説明】
【０００１】
【発明の属する技術分野】
本発明は、使用者とともに移動できるようにしたイルリガートルスタンドにおいて、身体の障害の状況によらず、問題なく扱えるようにした、イルリガートルスタンドにおける掴まり兼用移動操作装置に関するものである。
【０００２】
【従来の技術】
例えば、病院において使用されている、点滴瓶等を吊り下げて自在に移動できるようにしたイルリガートルスタンド（図示省略）には、患者の歩行、移動に伴って追従できるように脚部にキャスタを設け、脚部に立設した支柱部に、掴み手段としての把持部材（以下、グリップ）を設けていた。
【０００３】
【発明が解決しようとする課題】
しかしながら、前記イルリガートルスタンドにおけるグリップは、支柱部の任意の位置に固定可能な機能を有するのみで、握り箇所の保持角度は変えることはできない構造であるので、使用者が何らかのハンディキャップを抱えていたり、腕の骨折等の怪我などをしている場合、前記グリップでは握りにくく、使用しにくいことがあった。
本発明は、以上のような背景から提案されたものであって、使用者とともに移動できるようにしたイルリガートルスタンドにおいて、身体の障害の状況によらず、問題なく扱えるようにした、イルリガートルスタンドにおける掴まり兼用移動操作装置を提供することを目的とする。
【０００４】
【課題を解決するための手段】
前記した課題を解決するために、本発明では、請求項１において、イルリガートルスタンドにおける支柱部に、患者が掴むグリップ部を取付基部を介して着脱可能に固定すると共に、保持角度調節機構を介して連結する構成とし、この保持角度調節機構は、前記支柱部に固定した取付基部に対し、前記グリップ部を、支軸を中心として回動可能に支持すると共に、前記取付基部および前記グリップ部内側面に、それぞれ形成方向を前記支軸方向に指向させると共に等間隔毎に多数のリブを突設して、前記グリップ部から取付基部にかけてのリブ間の谷部に沿って移動可能な噛合歯を外周に形成した結合内筒を嵌挿して、この結合内筒を付勢手段により前記取付基部側のリブからグリップ部側のリブにかけて位置させる一方、押圧操作子により前記付勢手段の付勢力に抗して押し込むことで、前記結合内筒を取付基部側に移動させて前記グリップ部を拘束解除して、前記グリップ部を前記支軸廻りに回動可能とする一方、前記押圧操作子から手を離すことで任意の位置にて前記グリップ部を拘束する構成とし、前記グリップ部は、開ループ型形状に構成して、患者の手首を支持可能とすると共に、先端に、膨出形状の握り頭部を設ける構成としたイルリガートルスタンドにおける掴まり兼用移動操作装置を提案する。
また本発明では、請求項２において、イルリガートルスタンドにおける支柱部に、患者が掴むグリップ部を取付基部を介して着脱可能に固定すると共に、保持角度調節機構を介して連結する構成とし、この保持角度調節機構は、前記支柱部に固定した取付基部に対し、前記グリップ部を、支軸を中心として回動可能に支持すると共に、前記取付基部および前記グリップ部内側面に、それぞれ形成方向を前記支軸方向に指向させると共に等間隔毎に多数のリブを突設して、前記グリップ部から取付基部にかけてのリブ間の谷部に沿って移動可能な噛合歯を外周に形成した結合内筒を嵌挿して、この結合内筒を付勢手段により前記取付基部側のリブからグリップ部側のリブにかけて位置させる一方、押圧操作子により前記付勢手段の付勢力に抗して押し込むことで、前記結合内筒を取付基部側に移動させて前記グリップ部を拘束解除して、前記グリップ部を前記支軸廻りに回動可能とする一方、前記押圧操作子から手を離すことで任意の位置にて前記グリップ部を拘束する構成とし、前記グリップ部は、閉ループ型形状に構成して、患者の手首を支持可能とすると共に、前記グリップ部の所望の部位を握り可能とする構成としたイルリガートルスタンドにおける掴まり兼用移動操作装置を提案する。
【０００５】
請求項１によれば、取付基部を、イルリガートルスタンドにおける支柱部の適所に取り付け、開ループ型形状のグリップ部を、保持角度調節機構を操作して拘束解除した状態で、使いやすい角度に回転させ、前記グリップ部をそのまま拘束することができる。
前記保持角度調節機構は、押圧操作子を押し込むことで、支柱部に固定した取付基部に対し支軸を中心として回動可能とし、前記押圧操作子から手を離すことで任意の位置にて前記グリップ部を拘束することができる。
前記グリップ部は、開ループ型部材で構成したため、苦もなく掴んだり、グリップ部先端の頭部を握ったり、あるいは手を差し入れて支持するというように、グリップ部を支えとして自身の身体を支える手段とする一方、イルリガートルスタンドを伴って移動する際の引き手として使用することができる。
【０００６】
請求項２によれば、取付基部を、イルリガートルスタンドにおける支柱部の適所に取り付け、閉ループ型形状のグリップ部を、保持角度調節機構の押圧操作子を押し込み操作して、支柱部に固定した取付基部に対し支軸を中心として回動可能とし、前記押圧操作子から手を離すことで任意の位置にて前記グリップ部を拘束することができる。
前記グリップ部は、閉ループ型部材で構成したため、いずれの箇所も掴んだり、抱え込んで保持することができ、しかも、取付基部の高さを所望の位置に固定することができるので、使用者の身体の状態によらず、容易に操作することができる。
【０００７】
【発明の実施の態様】
次に、本発明にかかるイルリガートルスタンドにおける掴まり兼用移動操作装置について、病院において使用されるイルリガートルスタンドの一つの実施の形態を示し、添付の図面に基づいて以下説明する。
図１に示すイルリガートルスタンド１は、掴まり兼用移動操作装置２を備えている。
前記イルリガートルスタンド１は、移動用キャスタ３を装着した脚部４に立設した支柱部５を構成する基部支柱６、基部支柱６に高さ調節手段７により、高さ調節可能に装着してなる支持支柱８を有し、支持支柱８頂部に設けた、点滴瓶Ｂを吊下げるための吊し具９を備えている。
【０００８】
前記脚部４は、図示するように、五角形の対角線方向に拡開する脚枠４ａを有し、中心に前記支柱部５を立設している。
前記脚枠４ａは、前記支柱部５を立設した中心から中間部位にかけて直状に形成しており、中間部位から先端にかけて駆け上がる段差状に形成し、この先端側に前記移動用キャスタ３を取り付けるようにしている。なお、前記脚枠４ａ間には、固定踏込ステップ１０を介設している。
【０００９】
そして前記移動操作装置２は、図２に示すように支柱部５を構成する基部支柱６に締付ボルト（後述）により、着脱可能に固定する取付基部１１と、取付基部１１に対して任意の回動位置で拘束したり、拘束解除する保持角度調節機構１２を介して設けたグリップ部１３とによって構成している。
【００１０】
前記取付基部１１は、図３に示すように中央箇所に前記支柱部５における基部支柱６を受け入れる凹曲面状の受部１４を有し、この受部１４を囲むように腕部１１ａ，１１ｂを設けている。また、前記受部１４背面側には、後述する保持角度調節機構１２を係止する係止溝１１ｃを形成している。
そして、前記腕部１１ａには、ねじ穴１５が螺刻され（図４参照）、外側から前記受部１４に向かって締付ボルト１６を螺入することで、前記基部支柱６の適所に取付基部１１を固定保持するようにしている。
【００１１】
次に前記保持角度調節機構１２について説明する。前記保持角度調節機構１２では、前記取付基部１１における係止溝１１ｃに底部を係止してなる中継外筒１７と、この中継外筒１７の外周端面に、グリップ部１３における円筒状のグリップ基部１３ａの外周一端面を当接し、このグリップ基部１３ａから前記中継外筒１７に対し、支軸１８を挿通して、この支軸１８に、前記取付基部１１の受部１４側から、抜止ボルト１９を係止溝１１ｃ、中継外筒１７の底部１７ｂを介して螺着する構成としている。
【００１２】
また、前記グリップ基部１３ａは、内側中間に仕切部２０を有し、この仕切部２０中心を貫く中心軸に沿って、前記支軸１８を挿通するための挿通筒２１を設けている。この挿通筒２１は、中継外筒１７の外周端面に、グリップ基部１３ａの外周一端面を当接した際に、前記中継外筒１７の底部１７ｂに当接するように延在している。
【００１３】
さらに、前記中継外筒１７とグリップ基部１３ａとは、内径が略同一寸法であり、中継外筒１７の外周端面に、グリップ基部１３ａの外周一端面を当接した際に、グリップ基部１３ａにおける挿通筒２１と、グリップ基部１３ａおよび中継外筒１７の内壁とで、内側空間部Ｓを画成している。前記中継外筒１７とグリップ基部１３ａとの内壁面には、内周方向と直交する方向に等間隔毎に多数のリブ２２、２３を突設している。
この場合、中継外筒１７側のリブ２２とグリップ基部１３ａ側のリブ２３とは、幅寸法を同寸法とし、それぞれリブ２２、２３間に同幅の谷部Ｖを有している。
【００１４】
そして、前記グリップ基部１３ａから中継外筒１７にかけての内側空間部Ｓには、コイルスプリング２４の付勢力により、中継外筒１７からグリップ基部１３ａにかけて、前記グリップ基部１３ａを拘束する結合内筒２５を嵌挿している。
この場合、結合内筒２５の外周には、中継外筒１７側およびグリップ基部１３ａ側におけるリブ２２，２３間の谷部Ｖに沿って移動可能な噛合歯２６を形成している。この噛合歯２６は、中継外筒１７側のリブ２２の長さ寸法とほぼ同寸法としている。
【００１５】
前記グリップ基部１３ａの他端面から仕切部２０に至る開口空間Ｏｓには、突没可能に押圧操作子２７を装着している。すなわち、この押圧操作子２７には、表面に押圧部２７ｂを設ける一方、前記仕切部２０中心に挿通された支軸１８を囲むように形成した三カ所の通孔２０ｈを介し、前記内側空間部Ｓに臨入させた伝達脚２７Ｌを突設している。かかる伝達脚２７Ｌは前記結合内筒２５に当接している。また、伝達脚２７Ｌには、通孔２０ｈの内側空間部Ｓ側の縁部に係止して、押圧操作子２７を脱落しないように保持するフック部Ｆを設けている。
【００１６】
そして前記グリップ部１３は、前記グリップ基部１３ａと一体的に結合して、開ループ型形状、すなわち略Ｊ型形状に形成したパイプ材によって構成し、先端に、握りやすくするための膨出形状の握り頭部１３ｈを設けている（図２参照）。
【００１７】
以上のような、掴まり兼用移動操作装置２を設けたイルリガートルスタンド１において、看護婦は、脚枠４ａ，４ａ間の固定踏込ステップ１０を床面と共に踏み込むことでその場で動かないように保持しながら、支持支柱８頂部の吊し具９に、点滴瓶Ｂや、輸液バッグ等を吊すことができる。
【００１８】
患者が点滴を受けている状態で、自力で病院内を移動するときは、前記イルリガートルスタンド１の基部支柱６に、患者が掴みやすい位置に合わせるべく取付基部１１の固定位置を調節し、締付ボルト１６によって固定するようにする。
【００１９】
そして、グリップ部１３基部の保持角度調節機構１２における押圧操作子２７の押圧部２７ｂを押しながら、グリップ部１３を変位調節し、グリップ部１３を所望の角度の位置にもたらしたら、前記押圧部２７ｂから手を離すことで、その位置で前記グリップ部１３を拘束することができる。
前記押圧部２７ｂを押し込むと、グリップ基部１３ａの開口空間Ｏｓに沿って押圧操作子２７が押し込まれ、仕切部２０における通孔２０ｈを介し、内側空間部Ｓに臨入させた伝達脚２７Ｌによって、結合内筒２５を、コイルスプリング２４の付勢力に抗して中継外筒１７底部側に押し込む。
【００２０】
すると、中継外筒１７側のリブ２２からグリップ基部１３ａ側のリブ２３にかけての谷部Ｖに介在していた、結合内筒２５の噛合歯２６が、グリップ基部１３ａ側のリブ２３間の谷部Ｖから離脱して、中継外筒１７側のリブ２２間の谷部Ｖにもたらされるので、前記グリップ基部１３ａは、支軸１８を中心として回動自在な状態となる（図５参照）。
【００２１】
そして、前記押圧部２７ｂから手を離すことで、コイルスプリング２４の付勢力により結合内筒２５が押し戻されて、中継外筒１７側のリブ２２間の谷部Ｖから、グリップ基部１３ａ側のリブ２３間の谷部Ｖに渡って、前記結合内筒２５の噛合歯２６が架け渡されるようにもたらされ、再びグリップ基部１３ａを拘束することができる。このように、患者の身体状況に合わせて移動操作装置２のグリップ部１３を操作しやすいように調節することができるので（図６、図７参照）、使いやすさが一段と向上する。
そしてこれによって、患者は、苦もなく前記グリップ部１３を掴んだり、グリップ部１３先端の握り頭部１３ｈを握ったり、あるいは手を差し入れて（図８参照）、グリップ部１３を支えとして自身の身体を支える手段とする一方、イルリガートルスタンド１を伴って移動する際の引き手として使用することができる。
【００２２】
また、本発明にかかる移動操作装置２は、以下のように構成することもできる。
すなわち、この場合の移動操作装置２では、図９、図１０に示すように、グリップ部１３を閉ループ型形状、すなわち長円形状に形成している。
【００２３】
この場合でも、グリップ部１３を、グリップ部１３基部の押圧部２７ｂを押しながら、グリップ部１３を変位調節し、グリップ部１３を所望の角度の位置にもたらしたら、前記押圧部２７ｂから手を離すことで、その位置で前記グリップ部１３を拘束することができる。
そして、患者の身体的コンディションによって、前記グリップ部１３に手を差し入れて保持したり（図１１参照）、グリップ部１３を閉ループ型形状に構成したから、広い範囲にわたって、どの位置からでも掴むことができ（図１２参照）、グリップ部１３を支えとして自身の身体を支える手段とする一方、イルリガートルスタンド１を伴って移動する際の引き手として使用することができる。
【００２４】
本発明にかかるイルリガートルスタンドにおける掴まり兼用移動操作装置について説明したが、前記掴まり兼用移動操作装置２は、使用者と共に移動できるようにしたもの、例えば、歩行訓練用歩行補助車にも用いることも可能である。
【００２５】
【発明の効果】
以上の通り、本発明は、取付基部を、イルリガートルスタンドの支柱部の適所に取り付け、グリップ部を、保持角度調節機構を操作して拘束解除した状態で使いやすい角度に回転させ、保持角度調節機構から手を離すことで、前記グリップ部をその使いやすい位置で拘束することができる。このため、使用者の身体の状況に関わらず、使いやすいものとすることができる。すなわち、本発明は、保持角度調節機構と、閉ループ型形状または開ループ型形状のグリップ部との相乗効果により、様々な患者に対応して使用できるようにした一大特徴を有するものである。
【００２６】
【図面の簡単な説明】
【図１】  本発明にかかる掴まり兼用移動操作装置を装着したイルリガートルスタンドの一例を示す外観斜視図である。
【図２】  図１に示すイルリガートルスタンドの移動操作装置の外観斜視図である。
【図３】  図２に示す移動操作装置の構成を示す、分解斜視図である。
【図４】  図２に示す移動操作装置の断面説明図である。
【図５】  図２に示す移動操作装置を操作したところを示す、断面説明図である。
【図６】  図２に示す移動操作装置のグリップ部を握った状態を示した斜視図である。
【図７】  図２に示す移動操作装置のグリップ部を上から掴んだ状態を示した斜視図である。
【図８】  図２に示す移動操作装置のグリップ部に、手首を差し入れた状態を示した斜視図である。
【図９】  イルリガートルスタンドの移動操作装置の別例にかかる斜視図である。
【図１０】  図９に示す移動操作装置のグリップ部を鉛直方向に保持したところを示す斜視図である。
【図１１】  図９に示す移動操作装置のグリップ部に手首を差し入れた状態を示した斜視図である。
【図１２】  図９に示す移動操作装置のグリップ部を握った状態を示した斜視図である。
【符号の説明】
１                            イルリガートルスタンド
２                            移動操作装置
３                            移動用キャスタ
４                            脚部
４ａ                          脚枠
５                            支柱部
６                            基部支柱
７                            高さ調節手段
８                            支持支柱
９                            吊し具
１０                          固定踏込ステップ
１１                          取付基部
１１ａ，１１ｂ                腕部
１１ｃ                        係止溝
１２                          保持角度調節機構
１３                          グリップ部
１３ａ                        グリップ基部
１３ｈ                        握り頭部
１４                          受部
１５                          ねじ穴
１６                          締付ボルト
１７                          中継外筒
１７ｂ                        底部
１８                          支軸
１９                          抜止ボルト
２０                          仕切部
２０ｈ                        通孔
２１                          挿通筒
２２，２３                    リブ
２４                          コイルスプリング
２５                          結合内筒
２６                          噛合歯
２７                          押圧操作子
２７ｂ                        押圧部
２７Ｌ                        伝達脚
Ｓ                            内側空間部
Ｏｓ                          開口空間
Ｆ                            フック部
Ｖ                            谷部
【図１】
0003755754.tif 000002
【図２】
0003755754.tif 000003
【図３】
0003755754.tif 000004
【図４】
0003755754.tif 000005
【図５】
0003755754.tif 000006
【図６】
0003755754.tif 000007
【図７】
0003755754.tif 000008
【図８】
0003755754.tif 000009
【図９】
0003755754.tif 000010
【図１０】
0003755754.tif 000011
【図１１】
0003755754.tif 000012
【図１２】
0003755754.tif 000013